(57)【特許請求の範囲】
【請求項１】
屋根の野地板に形成した通気口を覆うように野地板に取り付けて小屋裏の換気を行う屋根用換気ユニットであって、 
上面、背面、左右両側面及び底面から成る箱型の本体を有し、本体前面に第１換気口を形成し、野地板に取り付けたとき前記通気口に連通する第２換気口を本体底面に形成し、
前記本体上面の高さが第１換気口の縦寸法を超えないように、前記本体上面の少なくとも後半部を後下がりに傾斜して設け
前記本体上面を越える高さを有する止水板を前記第１換気口の前方に位置するように前記本体底面に立設し、
止水板の上端部に前記第１換気口を越えて本体上面の上方まで延びる庇部を連設し、
第１換気口に連通する開口を止水板と庇部の左右両端部で区画形成したことを特徴とする屋根用換気ユニット。
【発明の詳細な説明】
【技術分野】
【０００１】
本発明は、屋根の野地板に形成した通気口を覆うように野地板に取り付けて小屋裏の
換気を行う屋根用換気ユニットに関する。
【背景技術】
【０００２】
この種の屋根用換気ユニットの一形式として、特開２００９−５２２３１号に開示されている換気ユニットは、底面と、底面に立設した立面と、立面から折れ曲がって前方へ延びる上面から成り、上面の前部が前下がりに傾斜して設けられている。そして、前面と左右両側面が換気口として開放されている。
【０００３】
この換気ユニットを施工するには野地板に形成した通気口に上面が被さるように、かつ上面の前端部が屋根瓦の尻部に近接するように野地板上に配置し、釘等で底面を野地板に固定する。
【先行技術文献】
【特許文献】
【０００４】
【特許文献１】特開２００９−５２２３１
【発明の概要】
【発明が解決しようとする課題】
【０００５】
この換気ユニットによれば、小屋裏の空気が通気口から換気口を通って換気される。また、屋根瓦と屋根瓦の重合部分の隙間から屋根瓦の裏側へ雨水が浸入しても、上面によって換気口から野地板の通気口を通って小屋裏へ雨水が浸入するのを防止できる。
【０００６】
しかしながら、通気口からの雨水の浸入を防止するためには、換気ユニットの上面が野地板の通気口を覆うように、かつ上面前部が屋根瓦の尻部に近接するように野地板上に固定しなければならない。そのため、野地板の所定位置に通気口を形成する作業が不可欠となり、換気ユニットの施工作業が面倒である。
【０００７】
また、この換気ユニットでは通気口から小屋裏に蜂等の虫が浸入して巣を作るのを防止するため、通気口に防虫網を取り付ける必要があり、より一層換気ユニットの施工が面倒である。
【０００８】
本発明はかかる問題点に鑑み、施工作業が容易で、かつ雨水や蜂等の虫が小屋裏に浸入するのを防止できる屋根用換気ユニットを提供することを目的とする。
【課題を解決するための手段】
【０００９】
請求項１に記載の発明は、屋根の野地板に形成した通気口を覆うように野地板に取り付けて小屋裏の換気を行う屋根用換気ユニットであって、 
上面、背面、左右両側面及び底面から成る箱型の本体を有し、本体前面に第１換気口を形成し、野地板に取り付けたとき前記通気口に連通する第２換気口を本体底面に形成し、
前記本体上面の高さが第１換気口の縦寸法を超えないように、前記本体上面の少なくとも後半部を後下がりに傾斜して設け
前記本体上面を越える高さを有する止水板を前記第１換気口の前方に位置するように前記本体底面に立設し、
止水板の上端部に前記第１換気口を越えて本体上面の上方まで延びる庇部を連設し、
第１換気口に連通する開口を止水板と庇部の左右両端部で区画形成したことを特徴とする。
【００１０】
そして、好ましくは第１換気口又は第２換気口に防虫用スクリーンを張設する。
【００１１】
また、止水用凸条を前記第２換気口の前縁に沿うように前記本体底面に凸設する。
【００１２】
さらにまた、好ましくは、前記本体をプラスチックで成型するとともに、前記止水板を板金加工により成型して本体底面に固定する。
【発明の効果】
【００１３】
請求項１に記載の屋根用換気ユニットによれば、小屋裏の空気が野地板の通気口に連通する第２換気口を通ってユニット本体の内部空間に流入し、第１換気口から小屋裏外部へと換気される。
一方、屋根瓦の裏側に浸入した雨水は止水板に遮られるので、第１換気口から本体内部への浸入が防止できる。
とりわけ、第１換気口が庇部で覆われているので、雨水が止水板を乗り越えても、庇部を伝って本体上面から本体後方へ流下するので、雨水の第１換気口から本体内部への侵入を効果的に防止できる。また、庇部を伝って本体上面へ達した雨水が上面後半部の後傾斜を伝って本体後方へ速やかに流下するので、本体前面の第１換気口からの浸入をより効果的に防止できる。
【００１４】
そして、第１換気口又は第２換気口に防虫用スクリーンを被せることで蜂が小屋裏に浸入するのを阻止できる。
【００１５】
また、止水凸条を設けることで、雨水が本体の底面を伝って本体内部に浸入したとしても底面を伝って雨水の第２換気口から野地板の通気口への浸入を、止水用凸条によって阻止できる。
【００１６】
さらにまた、止水板を本体とは別に板金加工することにより、本体の成型に使用する金型の構造が簡素化され、製造コストの低減が可能となる。
【図面の簡単な説明】
【００１７】
【図１】本発明の実施例に係る屋根用換気ユニットを示す斜視図である。
【図２】同屋根用換気ユニットの分解斜視図である。
【図３】図１の３−３線から切断した断面図である。
【図４】同屋根用換気ユニットの施工状態を示す説明図である。
【実施例】
【００１８】
以下に本発明を図面に基づき説明するに、図１、図２及び図３には本発明の一実施例に係る屋根用換気ユニット１０が示されている。当該屋根用換気ユニット１０は本体１１と止水板１２を備えている。
【００１９】
本体１１は横長で扁平な箱形を有し、上面１１ａ、背面１１ｂ及び左右両側面１１ｃをプラスチックで一体成型したアッパケーシング２０と、アッパケーシング２０とは別体のプラスチック成型である底面２１から成り、底面２１にアッパケーシング２０を接着して箱形に形成されている。この本体１１の前面は第１換気口２２として開放されている。
【００２０】
底面２１には長手方向に延びる第２換気口２３が形成されている。この第２換気口２３の周縁に沿って第１止水用凸条２４が底面２１に凸設されている。また、第１止水用凸条２４の前方に第２止水用凸条２５が底面に凸設されている。この第２止水用凸条２５は第２換気口２３の長手方向に沿って延びている。アッパケーシング２０は第２換気口２３を覆うように底面２１に取り付けて固定されている。
【００２１】
上面１１ａの後半部１１ｄは後下がりの傾斜となるように形成されている。また、上面１１ａの裏側に補強用凸条２６が垂設されている。本体１１は補強用凸条２６を底面２１に当接し、後端部１１ｅを底面２１に密着して底面２１に接着固定されている。第２換気口２２には防虫金網１３が嵌着されている。この防虫金網１３は蜂等の虫の浸入を妨げることのできるメッシュサイズのものが用いられている。
【００２２】
止水板１２はガルバニュム銅板が用いられ、底面２１に立設固定され、上面１１ａを越える高さ寸法を備えている。そして 止水板１２の上端部には庇部１２ａが連設されている。この庇部１２ａは第１換気口２２を越えて本体１１の上面１１ａの上方まで延びている。
【００２３】
本実施例に係る屋根用換気ユニット１０の構造は以上の通りであって、図４にその施工状態を示す。屋根瓦３０を掛止するため野地板３１に固定した上下の瓦桟３２の間の野地板３１部分に通気口３３が形成されている。この通気口３３は屋根の小屋裏３４に連通している。屋根用換気ユニット１０はこの通気口３３に被せるようにして釘（図示略）で野地板３１に固定する。屋根用換気ユニット１０は止水板１２が屋根勾配の下方（軒側）に位置するように配置する。
【００２４】
屋根用換気ユニット１０を施工することにより、小屋裏３４の空気が野地板３１の通気口３３に連通する第２換気口２３を通ってユニット本体１１の内部空間に流入し、第１換気口２２から小屋裏３４の外部へと換気される。
一方、屋根瓦３０の裏側に浸入した雨水（図３の矢印参照）は止水板１２に遮られるので、第１換気口２２から本体１１内部への浸入が防止できる。また、蜂が小屋裏３４に浸入するのは第２換気口２３に被せた防虫金網１３によって阻止できる。
【００２５】
雨水が本体１１内部に浸入したとしても、底面２１を伝った雨水の第２換気口２３から野地板３１の通気口３３への浸入が、第１止水用凸条２４と第２止水用凸条２５によって阻止できる。
【００２６】
第１換気口２２が庇部１２ａで覆われているので、雨水が止水板１２を乗り越えても、庇部１２ａを伝って本体１１の上面１１ａから本体１１の後方へ流下し、雨水の第１換気口２２から本体１１の内部への侵入を防止できる。
【００２７】
庇部１２ａを伝って本体１１の上面１１ａへ達した雨水が上面１１ａの後半部の後傾斜を伝って本体後方へ速やかに流下するので、本体前面の第１換気口２２からの浸入をより確実に防止できる。
【００２８】
止水板１２をプラスチック製本体１１とは別に板金加工としたので、本体１１の成型に使用する金型の構造が簡素化され、製造コストの低減が可能となる。
【００２９】
なお、本実施例では防虫用スクリーン１３として金網を用いたが、これに代えてパンチングメタルを用いたり、あるいはアッパケーシングの成型時に前面をハニカム状や格子状の多数の通孔を成型して、これを防虫スクリーンとすることもできる。
また、本体１１をプラスチック成型品で構成したが、板金加工品で構成することもできる。
さらにまた、第２換気口２３に防虫スクリーン１３を張設したが、これに代えて第１換気口２２に防虫スクリーン１３を張設してもよい。
【符号の説明】
【００３０】
１０…屋根用換気ユニット
１１…本体
１１ａ…上面
１２…止水板
１２ａ…庇部
１３…防虫金網
２０…アッパケーシング
２１…底面
２２…第１換気口
２３…第２換気口
２４…第１止水用凸条
２５…第２止水用凸条
３１…野地板
３３…通気口
３４…小屋裏
【図１】
0005696272.tif 000002
【図２】
0005696272.tif 000003
【図３】
0005696272.tif 000004
【図４】
0005696272.tif 000005